(57)【要約】【課題】本考案は、装着時の肌触りが良く、なお且つ吸水性が十分に高いマスクを提供することを課題とする。【解決手段】本考案のマスク（１０）は、マスク本体（１）と、一対の耳掛け用の紐体（３）とを備え、マスク本体（１）の、使用者の口及び鼻孔を覆う領域（２０）の、使用者の顔面と接する側の面を構成する布材が、ＪＩＳ  Ｌ１９０７で規定される繊維製品の品質試験方法のうち沈降法に従い測定された未洗濯条件及び３回洗濯条件での沈降時間が共に５秒以内であるタオル生地（４）であることを特徴とする。【選択図】図１
0003186722.tif 000002
【実用新案登録請求の範囲】
【請求項１】
通気性を有する布材により構成されるマスク本体と、
前記マスク本体の互いに対向する一対の辺縁部のそれぞれに設けられた耳掛け用の紐体と
を備え、使用者の顔面に装着されたときに前記マスク本体が前記使用者の口及び鼻孔を覆うマスクであって、
前記マスク本体の前記使用者の口及び鼻孔を覆う領域の、前記使用者の顔面と接する側の面を構成する布材が、ＪＩＳ  Ｌ１９０７で規定される繊維製品の品質試験方法のうち沈降法に従い測定された未洗濯条件及び３回洗濯条件での沈降時間が共に５秒以内であるタオル生地であることを特徴とするマスク。
【請求項２】
前記タオル生地が、四国タオル工業組合が提供する（公序良俗違反につき、不掲載）で規定されているｉｍａｂａｒｉ  ｔｏｗｅｌ  品質基準を満足するタオル生地である、請求項１のマスク。
【請求項３】
前記タオル生地が、今治タオルの生地である、請求項１又は２のマスク。
【請求項４】
通気性を有する布材により構成されるマスク本体と、
前記マスク本体の互いに対向する一対の辺縁部のそれぞれに設けられた耳掛け用の紐体と
を備え、使用者の顔面に装着されたときに前記マスク本体が前記使用者の口及び鼻孔を覆うマスクであって、
前記マスク本体の前記使用者の口及び鼻孔を覆う領域の、前記使用者の顔面と接する側の面を構成する布材が今治タオルのタオル生地であることを特徴とするマスク。
【請求項５】
前記マスク本体の、使用者の顔面と接する側の面のうち、周縁部以外の部分が前記タオル生地により構成される、請求項１〜４のいずれか１項のマスク。
【請求項６】
前記マスク本体の使用者の口及び鼻孔を覆う領域の布材が、前記タオル生地と、複数層のガーゼ生地とを備え、
前記タオル生地と前記複数層のガーゼ生地とは、装着時に使用者の顔面と接する位置に前記タオル生地が配置され、前記タオル生地よりも外側の位置に前記複数層のガーゼ生地が配置されるように積層されている、
請求項１〜５のいずれか１項のマスク。
【請求項７】
前記マスク本体の使用者の口及び鼻孔を覆う領域が、装着時において外側方向に膨出可能なように、前記マスク本体には、前記紐体が設けられる前記一対の辺縁部のそれぞれの近傍においてタックが形成されている、請求項１〜６のいずれか１項のマスク。
【請求項８】
前記タオル生地の素材が綿素材である、請求項１〜７のいずれか１項のマスク。
【考案の詳細な説明】
【技術分野】
【０００１】
本考案は、装着することにより口及び鼻孔を覆い、防菌、唾液や鼻水等の飛散の防止、乾燥防止、防寒等の種々の目的に利用可能なマスクに関する。
【背景技術】
【０００２】
口及び鼻孔を覆うためのマスクでは、口及び鼻孔と直接接する表面はガーゼ生地により形成されることが一般的である（たとえば特許文献１参照）。
【先行技術文献】
【特許文献】
【０００３】
【特許文献１】特開２００１−３７８９４号公報
【考案の概要】
【考案が解決しようとする課題】
【０００４】
口及び鼻孔と直接接する表面がガーゼ生地であるマスクは、装着者が、ごわごわした肌触りを感じることがあり望ましくない。この問題はガーゼ生地の代わりにタオル生地を使用することで解消できるが、通常のタオル生地では吸水性が十分ではないという問題がある。
【０００５】
そこで本考案は、装着時の肌触りが良く、なお且つ吸水性が十分に高いマスクを提供することを課題とする。
【課題を解決するための手段】
【０００６】
本願では、上記の課題を解決する手段として以下の考案を提供する。
（１）  通気性を有する布材により構成されるマスク本体と、
前記マスク本体の互いに対向する一対の辺縁部のそれぞれに設けられた耳掛け用の紐体と
を備え、使用者の顔面に装着されたときに前記マスク本体が前記使用者の口及び鼻孔を覆うマスクであって、
前記マスク本体の前記使用者の口及び鼻孔を覆う領域の、前記使用者の顔面と接する側の面を構成する布材が、ＪＩＳ  Ｌ１９０７で規定される繊維製品の品質試験方法のうち沈降法に従い測定された未洗濯条件及び３回洗濯条件での沈降時間が共に５秒以内であるタオル生地であることを特徴とするマスク。
【０００７】
（２）  前記タオル生地が、四国タオル工業組合が提供する今治タオル（商標登録）ブランドマニュアル２０１０で規定されているｉｍａｂａｒｉ  ｔｏｗｅｌ  品質基準を満足するタオル生地である、（１）のマスク。
（３）  前記タオル生地が、今治タオル（商標登録）の生地である、（１）又は（２）のマスク。
【０００８】
（４）  通気性を有する布材により構成されるマスク本体と、
前記マスク本体の互いに対向する一対の辺縁部のそれぞれに設けられた耳掛け用の紐体と
を備え、使用者の顔面に装着されたときに前記マスク本体が前記使用者の口及び鼻孔を覆うマスクであって、
前記マスク本体の前記使用者の口及び鼻孔を覆う領域の、前記使用者の顔面と接する側の面を構成する布材が今治タオル（商標登録）のタオル生地であることを特徴とするマスク。
【０００９】
（５）  前記マスク本体の、使用者の顔面と接する側の面のうち、周縁部以外の部分が前記タオル生地により構成される、（１）〜（４）のいずれかのマスク。
【００１０】
（６）  前記マスク本体の使用者の口及び鼻孔を覆う領域の布材が、前記タオル生地と、複数層のガーゼ生地とを備え、
前記タオル生地と前記複数層のガーゼ生地とは、装着時に使用者の顔面と接する位置に前記タオル生地が配置され、前記タオル生地よりも外側の位置に前記複数層のガーゼ生地が配置されるように積層されている、
（１）〜（５）のいずれかのマスク。
【００１１】
（７）  前記マスク本体の使用者の口及び鼻孔を覆う領域が、装着時において外側方向に膨出可能なように、前記マスク本体には、前記紐体が設けられる前記一対の辺縁部のそれぞれの近傍においてタックが形成されている、（１）〜（６）のいずれかのマスク。
（８）  前記タオル生地の素材が綿素材である、（１）〜（７）のいずれかのマスク。
【考案の効果】
【００１２】
本考案のマスクは、装着時の肌触りが良く、なお且つ吸水性が十分に高い。
【図面の簡単な説明】
【００１３】
【図１】本考案のマスク１０を、装着時に使用者の顔面に接する側から見た平面模式図である。
【図２】本考案のマスク１０を、装着時に外側となる側から見た平面模式図である。
【図３】マスク本体１を図１におけるＡ−Ａ’線に沿って断面視したときの断面模模式図である。
【図４】マスク本体１を図１におけるＢ−Ｂ’線に沿って断面視したときの断面模模式図である。なお紐体３，３の、マスク本体１の外部にある部分の断面は省略した。
【考案を実施するための形態】
【００１４】
以下、本考案のマスクの特徴を図面に基づいて説明する。ただし、本考案は図面に示された形態には限定されない。図面はいずれも、本考案の特徴を説明するための模式図であり、各部位の実際の寸法や、寸法の比率を正しく描写しているわけではない。
【００１５】
図１、図２に示すように、本発明のマスク１０は、通気性を有する布材により構成されるマスク本体１と、マスク本体１の互いに対向する一対の辺縁部のそれぞれに設けられた耳掛け用の紐体３、３とを有する。マスク１０は、使用者の顔面に装着されたときにマスク本体１０が使用者の口及び鼻孔を覆うことができる。マスク本体１のうち、装着時に使用者の口及び鼻孔を覆う領域（図１、２において破線で囲った領域）を、以下では「領域２０」という。
【００１６】
マスク本体１の一対の辺縁部２、２に耳掛け用の紐体３、３が設けられる態様は特に限定されない。典型的には図示するように、マスク本体１の辺縁部を構成する布材２，２が折り曲げられてループを形成し、領域２０を構成する布材（図示する例では、積層されたタオル生地４、ガーゼ生地６，６）とステッチ７により縫製されて一体化されており、辺縁部を構成する布材２，２のループに紐体３，３が通される。
【００１７】
紐体３，３は使用者の耳へ掛けることによってマスク１０を装着可能なものであればいかなる形態でも構わない。典型的には紐体３，３は伸縮可能な紐体であり、例えば紐状ゴムを含む伸縮可能な紐体である。
【００１８】
本考案の第１の特徴は、領域２０の使用者の顔面と接する側（内側）の面を構成する布材が、ＪＩＳ  Ｌ１９０７で規定される繊維製品の品質試験方法のうち沈降法に従い測定された未洗濯条件及び３回洗濯条件での沈降時間が共に５秒以内であるタオル生地（以下、「所定のタオル生地」と称することがある）４であることである。図１では、説明のために、所定のタオル生地４が表面に露出している部分を斜線で示した。なお図１では領域２０の内側表面よりも、所定のタオル生地４が露出した表面のほうが大きいが、両者が一致していてもよい。ただし好ましいのは、図１に示すように、マスク本体１の使用者の顔面と接する側（内側）の面の周縁部以外の部分が所定のタオル生地４により構成された形態である。
【００１９】
ここで、「ＪＩＳ  Ｌ１９０７で規定される繊維製品の品質試験方法のうち沈降法に従い測定された未洗濯条件及び３回洗濯条件での沈降時間が共に５秒以内であるタオル生地」とは、日本工業規格（JIS）の規格番号ＪＩＳ  Ｌ１９０７で規定されている繊維製品の品質試験方法（２０１０年６月２１日改定後のもの）のうち「沈降法」に従い測定された未洗濯条件及び３回洗濯条件での沈降時間（試験片を水に浮かべた後、試験片が湿潤して水中に沈降し始めるまでの時間）が共に５秒以内であるタオル生地である。このような要件を満たすタオル生地は、吸水性が非常に高い。このため、本考案のマスクは、装着時に汗や水分を素早く吸収することができ、着用時にさらっとした気持ちの良い感覚が続く。
【００２０】
所定のタオル生地４は、好ましくは、四国タオル工業組合が提供する今治タオル（商標登録）ブランドマニュアル２０１０で規定されているｉｍａｂａｒｉ  ｔｏｗｅｌ  品質基準を満足する。なお、前記の「ＪＩＳ  Ｌ１９０７で規定される繊維製品の品質試験方法のうち沈降法に従い測定された未洗濯条件及び３回洗濯条件での沈降時間が共に５秒以内である」は、前記「ｉｍａｂａｒｉ  ｔｏｗｅｌ  品質基準」の特徴的な品質基準の一つである。前記「ｉｍａｂａｒｉ  ｔｏｗｅｌ  品質基準」は具体的には以下の基準を指す。
【表１】
0003186722.tif 000003
【００２１】
前記「今治タオルブランドマニュアル２０１０」は２０１０年に四国タオル工業組合が作成したものであり、「今治タオル公式総合案内サイト」＜http://www.imabaritowel.jp/download/＞を通じて本願出願時点において入手、閲覧可能である。前記「ｉｍａｂａｒｉ  ｔｏｗｅｌ  品質基準」は、前記「今治タオルブランドマニュアル２０１０」の第ＩＩ章第１４頁で規定されている。前記「ｉｍａｂａｒｉ  ｔｏｗｅｌ  品質基準」を満足するタオル生地は、洗濯時に柔軟剤を加えなくても、やせたり硬くなったりとなりにくい性質を持っている。このため洗濯を繰り返すことによる形の変形が少なく、ずっと長く使用感を維持することが可能である。
【００２２】
本考案に用いられる、「ＪＩＳ  Ｌ１９０７で規定される繊維製品の品質試験方法のうち沈降法に従い測定された未洗濯条件及び３回洗濯条件での沈降時間が共に５秒以内であるタオル生地」、および、前記「四国タオル工業組合が提供する今治タオルブランドマニュアル２０１０で規定されているｉｍａｂａｒｉ  ｔｏｗｅｌ  品質基準を満足するタオル生地」は、地域団体商標である「今治タオル」（商標登録番号第５０６０８１３号）、および／または今治タオルブランドのブランドマーク（商標登録第５０６４７９５号）が付されたタオルとして市販されており、容易に入手可能である。本出願において「今治タオル」とは、これらの商標の少なくとも１つが付されたタオルを指す。
【００２３】
本考案の第２の特徴は、領域２０を構成する布材が、所定のタオル生地４と、複数層のガーゼ生地６，６とを備えることである。典型的には図３，４に示すように、所定のタオル生地４と複数層のガーゼ生地６，６とは、装着時に使用者の顔面と接する位置に所定のタオル生地４が配置され、所定のタオル生地４よりも外側の位置に複数層のガーゼ生地６，６が配置されるように積層されている。各層は縫製等の一般的な手段により相互に固定され一体化されている。図示するように各層はマスク本体１の周縁部のみで固定されていることが好ましい。なぜなら、口や鼻孔と接する領域２０において縫製部が存在すると装着時に使用者が違和感を感じる場合があるためである。
【００２４】
所定のタオル生地４の層は少なくとも１層設けられていればよく、２層、３層あるいはそれ以上の層数設けられていてもよい。
【００２５】
ガーゼ生地６は図３，４のように少なくとも２層設けられていていればよく、３層、４層あるいはそれ以上の層数設けられていてもよい。
【００２６】
複数層のガーゼ生地としては、好ましくは、「ダブルガーゼ」として市販されている、予め２層となっているガーゼ生地を用いる。
【００２７】
所定のタオル生地４と複数のガーゼ生地６，６を組み合わせて用いることにより、マスク本体１の全体が、吸湿性と柔らかさを奏することができ好ましい。
【００２８】
マスク本体１では、少なくとも１層の所定のタオル生地４と、少なくとも２層のガーゼ生地６，６以外に、更に他の通気性の布材が積層されていてもよい。
【００２９】
図面に示すように、ガーゼ生地６が装着時に外側の表面に露出するように構成されていることが好ましいが、他の布材が露出してもよい。
【００３０】
本考案の第３の特徴は、マスク本体１の使用者の口及び鼻孔を覆う領域２０が、装着時において外側方向（装着者の顔面から離れる方向）に膨出可能なように、マスク本体１には、紐体３，３が設けられる一対の辺縁部２，２のそれぞれの近傍においてタック５１，５１・・・，５２，５２・・・が形成されていることである。この特徴によって、マスク１０の装着時に口及び鼻孔の周囲が包み込まれるような一体感が得られる。この特徴と、所定のタオル生地４の肌触りの良さとの相乗効果によって優れた装着感が実現される。
【００３１】
図示するように、マスク本体１の内側面（図１）、外側面（図２）にそれぞれタック５１、タック５２が設けられていることが好ましい。タック５１は、マスク本体の内側面の一対の辺縁部２，２のそれぞれの近傍に、ほぼ左右対称に設けられることが好ましい。タック５１は高さ位置の異なる複数箇所（図１では３箇所）に左右対称（図１では計６箇所）に設けられることが更に好ましい。タック５２についても同様に、マスク本体の外側面の一対の辺縁部２，２のそれぞれの近傍に、ほぼ左右対称に設けられることが好ましい。タック５２は高さ位置の異なる複数箇所（図２では３箇所）に左右対称（図２では計６箇所）に設けられることが更に好ましい。
【産業上の利用可能性】
【００３２】
本考案のマスクは、防菌、唾液や鼻水等の飛散の防止、乾燥防止、防寒等の種々の目的に利用可能である。
【符号の説明】
【００３３】
１      マスク本体
２      辺縁部を構成する布材
３      紐体
４      ＪＩＳ−Ｌ１９０７で規定される繊維製品の品質試験方法のうち沈降法に従い測定された未洗濯条件及び３回洗濯条件での沈降時間が共に５秒以内であるタオル生地
５１    タック
５２    タック
６      ガーゼ生地
７      ステッチ
２０    使用者の口及び鼻孔を覆う領域
【図１】
0003186722.tif 000004
【図２】
0003186722.tif 000005
【図３】
0003186722.tif 000006
【図４】
0003186722.tif 000007
【手続補正書】
【提出日】平成25年8月16日(2013.8.16)
【手続補正１】
【補正対象書類名】実用新案登録請求の範囲
【補正対象項目名】全文
【補正方法】変更
【補正の内容】
【実用新案登録請求の範囲】
【請求項１】
通気性を有する布材により構成されるマスク本体と、
前記マスク本体の互いに対向する一対の辺縁部のそれぞれに設けられた耳掛け用の紐体と
を備え、使用者の顔面に装着されたときに前記マスク本体が前記使用者の口及び鼻孔を覆うマスクであって、
前記マスク本体の前記使用者の口及び鼻孔を覆う領域の、前記使用者の顔面と接する側の面を構成する布材が、ＪＩＳ  Ｌ１９０７で規定される繊維製品の品質試験方法のうち沈降法に従い測定された未洗濯条件及び３回洗濯条件での沈降時間が共に５秒以内であるタオル生地であることを特徴とするマスク。
【請求項２】
前記タオル生地が、四国タオル工業組合が２０１０年に定めたｉｍａｂａｒｉ  ｔｏｗｅｌ  品質基準を満足するタオル生地である、請求項１のマスク。
【請求項３】
通気性を有する布材により構成されるマスク本体と、
前記マスク本体の互いに対向する一対の辺縁部のそれぞれに設けられた耳掛け用の紐体と
を備え、使用者の顔面に装着されたときに前記マスク本体が前記使用者の口及び鼻孔を覆うマスクであって、
前記マスク本体の前記使用者の口及び鼻孔を覆う領域の、前記使用者の顔面と接する側の面を構成する布材が、四国タオル工業組合が２０１０年に定めたｉｍａｂａｒｉ  ｔｏｗｅｌ  品質基準を満足するタオル生地であることを特徴とするマスク。
【請求項４】
前記マスク本体の、使用者の顔面と接する側の面のうち、周縁部以外の部分が前記タオル生地により構成される、請求項１〜３のいずれか１項のマスク。
【請求項５】
前記マスク本体の使用者の口及び鼻孔を覆う領域の布材が、前記タオル生地と、複数層のガーゼ生地とを備え、
前記タオル生地と前記複数層のガーゼ生地とは、装着時に使用者の顔面と接する位置に前記タオル生地が配置され、前記タオル生地よりも外側の位置に前記複数層のガーゼ生地が配置されるように積層されている、
請求項１〜４のいずれか１項のマスク。
【請求項６】
前記マスク本体の使用者の口及び鼻孔を覆う領域が、装着時において外側方向に膨出可能なように、前記マスク本体には、前記紐体が設けられる前記一対の辺縁部のそれぞれの近傍においてタックが形成されている、請求項１〜５のいずれか１項のマスク。
【請求項７】
前記タオル生地の素材が綿素材である、請求項１〜６のいずれか１項のマスク。